(57)【要約】【課題】筐体の内部の部品を露出させた開口部が形成された壁部の外側から、筐体の内部の配線の配線作業を比較的容易に行うことができる電子機器を提供する。【解決手段】電子機器１は、第１の部品１２と、この第１の部品１２の近傍に位置した第２の部品とを含む複数の部品を収容した筐体１１と、筐体１１の内部で第２の部品の周辺に設けられた配線Ｈ１と、第２の部品の周辺で筐体１１に設けられ、配線Ｈ１を保持した配線保持部３１と、壁部２３ｄと、備える、壁部２３ｄは、第２の部品を覆う覆部２３ｅと、第１の部品１２を露出させた第１の領域２３ｋ及び覆部２３ｅの周辺に形成されて第１の領域２３ｋに連続して配線保持部３１の周辺を露出させた第２の領域２３ｍを有する開口部２３ｆと、が設けられた。【選択図】図５
2011138352.tif 000002
【特許請求の範囲】
【請求項１】
第１の部品と、この第１の部品の近傍に位置した第２の部品とを含む複数の部品を収容した筐体と、
前記筐体の内部で前記第２の部品の周辺に設けられ、前記複数の部品のいずれかに接続される配線と、
前記第２の部品の周辺で前記筐体に設けられ、前記配線を保持した配線保持部と、
前記第２の部品を覆う覆部と、前記第１の部品を露出させた第１の領域及び前記覆部の周辺に形成されて前記第１の領域に連続して前記配線保持部の周辺を露出させた第２の領域を有する開口部と、が設けられた壁部と、
を備えることを特徴とする電子機器。
【請求項２】
前記第１の部品と前記第２の部品との間は、前記第２の領域に連通したことを特徴とする請求項１に記載の電子機器。
【請求項３】
前記開口部を閉塞する蓋と、
前記第２の領域の縁部に設けられ前記蓋を係止した係止部と、
を備え、
前記壁部には、前記第２の領域の縁部であって相互に対向する一対の対向縁部が設けられ、
前記配線保持部は、前記一対の対向縁部の一方に設けられ、前記係止部は、前記一対の対向縁部の他方に設けられたことを特徴とする請求項１又は２に記載の電子機器。
【請求項４】
前記第２の領域の縁部に設けられた第１のボスを備え、
前記壁部には、前記第２の領域の縁部であって相互に対向する一対の対向縁部が設けられ、
前記配線保持部は、前記一対の対向縁部の一方に形成され、前記第１のボスは、前記一対の対向縁部の他方に設けられたことを特徴とする請求項１又は２に記載の電子機器。
【請求項５】
第２のボスを備え、
前記第２の領域は、前記第１の領域に対して突出形状に設けられ、
前記第２のボスは、前記第２の領域の突出頂部の周辺に位置して前記壁部に設けられたことを特徴とする請求項１ないし４のいずれか一項に記載の電子機器。
【請求項６】
前記第２の領域は、前記第１の領域に対して突出形状に設けられた一対の突出部を有し、
前記一対の突出部の間に前記覆部の一部が位置したことを特徴とする請求項１ないし５のいずれか一項に記載の電子機器。
【請求項７】
前記一対の突出部のうちの一方の面積は、前記一対の突出部のうちの他方の面積よりも大きいことを特徴とする請求項６に記載の電子機器。
【請求項８】
前記筐体を有する第１の本体部と、
表示器を有して前記第１の本体部に連結された第２の本体部と、
を備え、
前記配線は、前記第１の本体部と前記第２の本体部とに亘り、
前記他方の突出部よりも前記一方の突出部の方が、前記第１の本体部における第２の本体部との結合側の端部に近く配置されたことを特徴とする請求項７に記載の電子機器。
【請求項９】
前記第１の本体部と前記第２の本体部とを回動可能に連結した連結部を備え、
前記配線は、前記連結部に沿って設けられたことを特徴とする請求項８に記載の電子機器。
【請求項１０】
前記第２の部材の前記壁部からの高さは、前記第１の部材の前記壁部からの高さ以上であることを特徴とする請求項１ないし９のいずれか一項に記載の電子機器。
【請求項１１】
前記配線保持部は、前記配線を挟んで保持した一対の爪部材を有し、
前記一対の爪部材は、前記壁部に対する前記開口部の貫通方向で前記開口部と対向する位置に、前記開口部の縁部から延出したことを特徴とする請求項１ないし１０のいずれか一項に記載の電子機器。
【請求項１２】
前記配線保持部は、前記配線を挟んで保持した一対の爪部材を有し、
前記一対の爪部材は、前記壁部に対する前記開口部の貫通方向に沿って前記開口部の縁部に立設されたことを特徴とする請求項１ないし１０のいずれか一項に記載の電子機器。
【請求項１３】
開口部が設けられた壁部を有した筐体と、
前記筐体に収容され、前記開口部から露出した第１の部品と、
前記筐体に収容され、前記第１の部品の近傍に位置した第２の部品と、
前記第２の部品の周辺に沿って設けられた配線と、
を備え、
前記壁部の開口部は、前記第１の部品の外縁寸法よりも大きな寸法を有する矩形形状の第１の領域と、この第１の領域から前記第２の部品の外縁に沿って延びた第２の領域とを有し、
前記配線は、前記第２の部品の外縁に沿って配線されて前記第２の領域から露出した部分を有することを特徴とする電子機器。
【請求項１４】
収容部品と、
ファンケースと、
前記収容部品と前記ファンケースとが収容された筐体と、
前記筐体の底壁の一部であって、前記収容部品を露出させるとともに前記ファンケースの外縁部に沿った形状の縁部を有する開口部が設けられた壁部と、
前記ファンケースの前記外縁部に沿って配線され、前記開口部から一部が露出された配線と、
を有することを特徴とする電子機器。
【発明の詳細な説明】
【技術分野】
【０００１】
本発明は、電子機器に関する。
【背景技術】
【０００２】
従来、筐体の内部にメモリやファン等の部品を収容するとともに、筐体の上面にキーボードを配置した例えばパーソナルコンピュータ等の電子機器がある。
【０００３】
このような電子機器では、筐体の底壁に蓋によって閉塞されるメモリアクセス用の底壁開口部が設けられたものがある。このメモリアクセス用の開口部は、筐体の内部への部品の取り付け作業の際などに、メモリに対する筐体の外部からのアクセスを可能としている。また、このような電子機器では、筐体の上壁部にキーボードによって閉塞される上壁部開口部が形成されており、この上壁部開口部を用いてメモリが実装された基板へアクセス可能となっている。
【０００４】
また、上記の筐体の内部には複数の配線が配線されており、それらの配線の中には、筐体の底壁の近傍でファン等の比較的大型の部品の外面に沿って配線されるものがある。筐体の底壁には、その配線を保持した配線保持部が設けられている。そして、その配線保持部への配線の取り付け作業（配線作業）は、例えば、筐体の上壁部に形成された上壁部開口部を利用して行われる。ここで、配線保持部としては、例えば、特許文献１に爪部が開示されている。
【先行技術文献】
【特許文献】
【０００５】
【特許文献１】特開２００７−２９９８８３号公報
【発明の概要】
【発明が解決しようとする課題】
【０００６】
しかしながら、このように、筐体の内部で底壁近傍に位置させる配線の配線作業を筐体の上壁部から行ったのでは、配線作業がやり難い。そこで、例えば、配線専用の開口部を底壁に設けることが考えられるが、この場合には、筐体内の部品の配置条件や筐体の剛性の低下を抑えるために十分な大きさの開口面積を確保することができず、作業性が良くないという問題が発生することが考えられる。
【０００７】
本発明は、上記に鑑みてなされたものであって、筐体の内部の部品を露出させた開口部が形成された壁部の外側から、筐体の内部の配線の配線作業を比較的容易に行うことができる電子機器を提供することを目的とする。
【課題を解決するための手段】
【０００８】
上述した課題を解決し、目的を達成するために、本発明の電子機器は、第１の部品と、この第１の部品の近傍に位置した第２の部品とを含む複数の部品を収容した筐体と、前記筐体の内部で前記第２の部品の周辺に設けられ、前記複数の部品のいずれかに接続される配線と、前記第２の部品の周辺で前記筐体に設けられ、前記配線を保持した配線保持部と、前記第２の部品を覆う覆部と、前記第１の部品を露出させた第１の領域及び前記覆部の周辺に形成されて前記第１の領域に連続して前記配線保持部の周辺を露出させた第２の領域を有する開口部と、が設けられた壁部と、を備えることを特徴とする。
【０００９】
また、本発明の電子機器は、開口部が設けられた壁部を有した筐体と、前記筐体に収容され、前記開口部から露出した第１の部品と、前記筐体に収容され、前記第１の部品の近傍に位置した第２の部品と、前記第２の部品の周辺に沿って設けられた配線と、を備え、前記壁部の開口部は、前記第１の部品の外縁寸法よりも大きな寸法を有する矩形形状の第１の領域と、この第１の領域から前記第２の部品の外縁に沿って延びた第２の領域とを有し、前記配線は、前記第２の部品の外縁に沿って配線されて前記第２の領域から露出した部分を有することを特徴とする。
【００１０】
また、本発明の電子機器は、収容部品と、ファンケースと、前記収容部品と前記ファンケースとが収容された筐体と、前記筐体の底壁の一部であって、前記収容部品を露出させるとともに前記ファンケースの外縁部に沿った形状の縁部を有する開口部が設けられた壁部と、前記ファンケースの前記外縁部に沿って配線され、前記開口部から一部が露出された配線と、を有することを特徴とする。
【発明の効果】
【００１１】
本発明の電子機器によれば、筐体の内部の部品を露出させた開口部が形成された壁部の外側から筐体の内部の配線の配線作業を比較的容易に行うことができる。
【図面の簡単な説明】
【００１２】
【図１】図１は、本発明の第１の実施の形態にかかる電子機器を示す斜視図である。
【図２】図２は、キーボードが外された状態の第１の本体部を示す平面図である。
【図３】図３は、第１の本体部の内部の一部を示す平面図である。
【図４】図４は、第１の本体部を示す底面図である。
【図５】図５は、蓋が外された状態の第１の本体部を示す底面図である。
【図６】図６は、蓋を示す底面図である。
【図７】図７は、蓋が外された状態の第１の本体部における底壁の開口部の部分を拡大して示す底面図である。
【図８】図８は、筐体の上方から筐体の底壁の一部を見て示す斜視図である。
【図９】図９は、本発明の第２の実施の形態の配線保持部を底面側の下方から見て示す斜視図である。
【図１０】図１０は、底壁における配線保持部が設けられた部分を示す底面図である。
【発明を実施するための形態】
【００１３】
以下、図面を参照して、本発明の実施の形態について詳細に説明する。なお、以下の複数の実施の形態には、同様の構成要素が含まれている。よって、以下では、それら同様の構成要素には共通の符号を付与するとともに、重複する説明を省略する。
【００１４】
＜第１の実施の形態＞
まずは、図１〜図８を参照して、本発明の第１の実施の形態にかかる電子機器について説明する。
【００１５】
図１に示すように、本実施の形態にかかる電子機器１は、所謂ノート型のパーソナルコンピュータとして構成されており、矩形状の扁平な第１の本体部２と、矩形状の扁平な第２の本体部３と、を備えている。これら第１の本体部２及び第２の本体部３は、連結部としてのヒンジ機構４によって、回動軸Ａｘ回りに、少なくとも折り畳み状態（図示せず）と展開状態（図１）との間で相対回動可能に連結されている。
【００１６】
第１の本体部２の筐体１１の内部には、図２や図３、図５に示すように、例えば、ＣＰＵ（Central Processing Unit）や、第１の部品１２としての複数のメモリ１２Ａ（図５参照）、第１の部品１２としての無線モジュール１２Ｂ（図５参照）等の複数の電子部品を搭載した基板１４や第２の部品としてのファン装置１５、ハードディスク等の複数の部品が収容されている。また、第１の本体部２の表面２ａには、図１に示すように、入力操作部としてのキーボード１６が配置されている。一方、第２の本体部３の表面３ａには、表示部としての表示器（例えばＬＣＤ（Liquid Crystal Display）等）１７が配置されている。折り畳み状態では、第１の本体部２の表面２ａと、第２の本体部３の表面３ａとが相互に対向するとともに、キーボード１６及び表示器１７が相互に対向する。一方、展開状態では、図１に示すように、表面２ａ，３ａ、ならびにキーボード１６及び表示器１７の双方が露出する。この展開状態で、ユーザが使用可能となる。なお、キーボード１６ならびに表示器１７も電子部品に相当する。なお、第１の部品１２としてのメモリ１２Ａと無線モジュール１２Ｂとを区別しせずに第１の部品１２として説明する場合には、第１の部品に符号１２を用いることとする。
【００１７】
ファン装置１５は、図３に示すように、通風口１５ａが形成されたファンケース１５ｂと、ファンケース１５ｂに収容された羽根車１５ｃと、ファンケース１５ｂに収容され羽根車１５ｃを回転させるモータと、を有している。
【００１８】
第１の本体部２の筐体１１は、図１に示すように、ベース部材２１と、このベース部材２１の上部に取り付けられたカバー部材２２と、を有している。
【００１９】
カバー部材２２は、図２に示すように、キーボード１６を支持したキーボード支持部２２ａを有する。このキーボード支持部２２ａには、筐体１１の内部を露出させたカバー開口部２２ｂが設けられた。
【００２０】
ベース部材２１は、図１に示すように、矩形板状の底壁２３と、この底壁２３の周縁部に立設された側壁２４と、を有しており、上面が開口している。ベース部材２１は、上記各種の部品（メモリ１２Ａ及び無線モジュール１２Ｂが実装された基板１４やファン装置１５等）を収容しており、このうち、ファン装置１５は、第１のメモリ１２Ａ及び無線モジュール１２Ｂの近傍に位置した。ファン装置１５は、底壁２３の４つの角部のうち一つの角部２３ａ（図３）に寄せて配置された。より具体的には、ファン装置１５は、底壁２３の４つの角部のうち、第１の本体部２における第２の本体部３との連結側に位置した一対の角部のうちの一方の角部２３ａに寄せて配置された。また、図３ないし図５に示すように、ベース部材２１の底壁２３には、バッテリを保持したバッテリ保持部２３ｂが設けられた。バッテリ保持部２３ｂは、ベース部材２１の一辺部２３ｃに寄せて配置された。この一辺部２３ｃは、第１の本体部２における第２の本体部３との連結側の部分である。そして、このバッテリ保持部２３ｂにおける一辺部２３ｃ側とは逆側に、第１の部品１２とファン装置１５とが配置されている。ここで、底壁２３からファン装置１５の高さは、底壁２３からの第１の部品１２の高さ以上である。
【００２１】
底壁２３の一部である壁部２３ｄには、図４及び図５に示すように、ファン装置１５を覆う覆部２３ｅと、覆部２３ｅの周囲に位置した開口部２３ｆと、が設けられた。覆部２３ｅには、ファン装置１５がネジ等の固定手段によって固定された。この覆部２３ｅには、通風口２３ｇが形成されており、この通風口２３ｇを用いてファン装置が１５、排気又は吸気を行う。ここで、ベース部材２１には、別の通風口２１ｃが形成さており、ファン装置１５が動作することで、それらの通風口２３ｇ，２１ｃ及び後述する蓋２６の通風口２６ｃを介して筐体１１内の空気が換気され、これにより、筐体１１内の部品の熱が筐体１１の外部へ放出される。
【００２２】
開口部２３ｆは、図４に示すように、蓋２６によって閉塞される。開口部２３ｆの縁部２３ｈには、係止部２３ｉと、蓋２６を受ける受部２３ｊが形成された。受部２３ｊは、段差状に形成されている。一方、蓋２６には、図６に示すように、蓋爪部２６ａが設けられた。そして、蓋爪部２６ａが係止部２３ｉによって係止された状態で、底壁２３に対して蓋２６がネジ２６ｂによってネジに止めされることで、蓋２６が底壁２３に固定される。この状態から、ネジ止めを解除して、蓋爪部２６ａを係止部２３ｉから離脱させることで、蓋２６を底壁２３から取り外すことができる。
【００２３】
また、筐体１１の内部には、図５及び図８に示すように、筐体１１の内部のいずれかの部品に接続される配線Ｈ１がファン装置１５の周辺に配線された。この配線Ｈ１は、ファン装置１５の周辺で筐体１１に設けられた配線保持部３１によって保持される。配線Ｈ１は、第１の本体部２と第２の本体部３とに亘って配線されており、その配線経路の途中部分ではヒンジ機構４に沿って配線された。この配線Ｈ１は、例えば、第１の本体部２の無線モジュール１２Ｂと第２の本体部３に内蔵されたアンテナとを接続する配線である。
【００２４】
配線保持部３１は、配線Ｈ１を挟んで保持した一対の爪部材３１ａを有している。これらの一対の爪部材３１ａは、配線Ｈ１の配線経路に沿って相互に間隔をあけて配置された。爪部材３１ａは、図７及び図８に示すように、先端部が折り曲げられており、これにより、爪部材３１ａに引っ掛け部３１ｂが形成されている。一対の爪部材３１ａは、引っ掛け部３１ｂの折り曲げ向きが相互に逆にとなる位置に配置された。そして、これらの一対の爪部材３１ａは、底壁２３の壁部２３ｄに対する開口部２３ｆの貫通方向で開口部２３ｆと対向する位置に、開口部２３ｆの縁部２３ｈから延出した。
【００２５】
次に、底壁２３の壁部２３ｄにおける開口部２３ｆについてより詳細に説明する。
【００２６】
開口部２３ｆは、図５及び図７に示すように、第１の部品１２を露出させた第１の領域２３ｋと、覆部２３ｅの周辺に形成されて第１の領域２３ｋに連続して配線保持部３１の周辺を露出させた第２の領域２３ｍと、を有する。ここで、図５及び図７では、第１の領域２３ｋと第２の領域２３ｍとの境界を二点鎖線で示してある。
【００２７】
第１の領域２３ｋは、第１の部品１２の外縁寸法よりも大きな寸法を有する矩形形状に形成された。また、この開口部２３ｆの一部の領域に対向した補強部材３２が筐体１１の内部に設けられた。補強部材３２は、底壁２３に固定された。
【００２８】
第２の領域２３ｍは、第１の領域２３ｋからファン装置１５の外縁に沿って延びた。詳しくは、第２の領域２３ｍは、図５、図７及び図８に示すように、第１の領域２３ｋに対して突出形状に設けられた一対の突出部２３ｎを有する。ここで、図５及び図７では、一対の突出部２３ｎ間の境界を一点鎖線で示してある。これらの一対の突出部２３ｎの間に、覆部２３ｅの一部が位置した。一方の突出部２３ｎは、覆部２３ｅの周辺に形成されて第１の領域２３ｋに連続して配線保持部３１の周辺を露出させた。他方の突出部２３ｎは、配線Ｈ２を露出させた。この配線Ｈ２も無線モジュール１２Ｂに接続される。一方の突出部２３ｎの面積は、他方の突出部２３ｎの面積よりも大きい。第２の領域２３ｍの縁部である一方の突出部２３ｎの縁部には、相互に対向する一対の対向縁部２３ｑと、これらの一対の対向縁部２３ｑを接続した接続縁部２３ｒとが設けられた。そして、一対の対向縁部２３ｑの一方に、配線保持部３１が設けられ、一対の対向縁部２３ｑの他方に、係止部２３ｉが設けられた。
【００２９】
また、底壁２３の内面には、開口部２３ｆの第２の領域２３ｍの縁部に、第１のボス３３が設けられた。この第１のボス３３は、基板１４を支持するボスであり、具体的には、第１のボス３３に基板１４がネジ止めされた。第１のボス３３は、一対の対向縁部２３ｑの他方に設けられた。
【００３０】
また、底壁２３の内面には、第２のボス３４が設けられた。この第２のボス３４は、カバーを支持した。具体的には、カバー部材２２の裏面に形成されたピンが第２のボス３４に嵌合した。この第２のボス３４は、開口部２３ｆの第２の領域２３ｍにおける一方の突出部２３ｎの突出頂部２３ｓの周辺に位置した。また、他方の突出部２３ｎよりも一方の突出部２３ｎの方が、第１の本体部２における第２の本体部３との結合側の端部に近く配置された。
【００３１】
また、第２の部品とファン装置１５との間は、開口部２３ｆの第２の領域２３ｍに連通した。
【００３２】
このような構成において、第２の本体部３から第１の本体部２と第２の本体部３との連結部を通って第１の本体部２へ延出した配線Ｈ１は、図８に示すように、ヒンジ機構４の脇を通り、第２のボス３４のファン装置１５側とは反対側を通り、さらに、配線保持部３１に保持されて、無線モジュール１２Ｂに接続して（接続部は図示せず）配線された。このように、配線Ｈ１は、第１の本体部２と第２の本体部３とに亘っており、その配線経路の途中部分では、連結部であるヒンジ機構４に沿って配線された。ここで、配線Ｈ１は、図５に示すように、ファン装置１５の外縁に沿って配線されて第２の領域２３ｍから露出した部分を有する。配線Ｈ１は、配線保持部３１に保持されることで、ファン装置１５との干渉が阻止される。また、本実施の形態では、第２のボス３４も配線Ｈ１がファン装置１５と干渉するのを阻止する。なお、図８中の符号３６は、配線Ｈ１と図示しない他の配線との摺動を抑制するシートである。
【００３３】
ここで、上記の電子機器１の構成を別の言い方ですると、電子機器１は、収容部品（例えばメモリ１２Ａや無線モジュール１２Ｂ）と、ファンケース１５ｂと、収容部品とファンケース１５ｂとが収容された筐体１１と、筐体１１の底壁２３の一部であって、収容部品を露出させるとともにファンケース１５ｂの外縁部に沿った形状の縁部２３ｈを有する開口部２３ｆが設けられた壁部２３ｄと、ファンケース１５ｂの外縁部に沿って配線され、開口部２３ｆから一部が露出された配線Ｈ１，Ｈ２と、を有する。
【００３４】
以上説明したように、本実施の形態では、開口部２３ｆに、配線保持部３１の周辺を露出させた第２の領域２３ｍが設けられたので、この第２の領域２３ｍを介して、筐体１１の底壁２３の外側から配線保持部３１への配線Ｈ１の取付作業（配線作業）を行うことができる。そして、第２の領域２３ｍは、第１の部品１２を露出させた第１の領域２３ｋに連続しているので、この第１の領域２３ｋも配線保持部３１への配線Ｈ１の取付作業用の領域として用いることができる。即ち、配線Ｈ１の取付作業用の領域が、第２の領域２３ｍに加えて第１の領域２３ｋ分だけ増えるので、底壁２３の外側から筐体１１の内部の配線Ｈ１の配線作業を比較的容易に行うことができる。
【００３５】
また、本実施の形態では、第１の部品１２と第２の部品であるファン装置１５との間は、開口部２３ｆの第２の領域２３ｍに連通した。したがって、第１の部品１２とファン装置１５との間も配線Ｈ１の配線作業に用いることができるので、底壁２３の外側から筐体１１の内部の配線Ｈ１の配線作業をより容易に行うことができる。
【００３６】
また、本実施の形態では、電子機器１は、開口部２３ｆを閉塞する蓋２６と、第２の領域２３ｍの縁部２３ｈに設けられ蓋２６を係止した係止部２３ｉと、を備える。そして、底壁２３の壁部２３ｄには、第２の領域２３ｍの縁部２３ｈであって相互に対向する一対の対向縁部２３ｑが設けられた。配線保持部３１は、一対の対向縁部２３ｑの一方に形成され、係止部２３ｉは、一対の対向縁部２３ｑの他方に設けられた。したがって、係止部２３ｉが配線保持部３１から離れた位置に位置するので、配線作業中に係止部２３ｉが作業者の手などに引っ掛かることを抑制することができる。
【００３７】
また、本実施の形態では、電子機器１は、第２の領域２３ｍの縁部２３ｈに設けられた第１のボス３３を備える。そして、配線保持部３１は、一対の対向縁部２３ｑの一方に形成され、第１のボス３３は、一対の対向縁部２３ｑの他方に設けられた。したがって、第１のボス３３が配線保持部３１から離れた位置に位置するので、配線作業中に第１のボス３３が作業者の手などに引っ掛かることを抑制することができる。
【００３８】
また、本実施の形態では、電子機器１は、第２のボス３４を備える。また、第２の領域２３ｍは、第１の領域２３ｋに対して突出形状に設けられた。そして、第２のボス３４は、第２の領域２３ｍの突出頂部２３ｓの周辺に位置して壁部２３ｄに設けられた。即ち、第２のボス３４が、第１の領域２３ｋから見て第２の領域２３ｍよりも奥に位置するので、配線作業中に第２のボス３４作業者の手などに引っ掛かることを抑制することができる。
【００３９】
また、本実施の形態では、電子機器１は、筐体１１を有する第１の本体部２と、表示器１７を有して第１の本体部２に連結された第２の本体部３と、を備え、配線Ｈ１は、第１の本体部２と第２の本体部３とに亘った。したがって、第１の本体部２と第２の本体部３に亘って配線される配線Ｈ１の配線作業を第１の領域２３ｋ及び第２の領域２３ｍを利用して容易に行うことができる。
【００４０】
また、本実施の形態では、配線保持部３１は、配線Ｈ１を挟んで保持した一対の爪部材３１ａを有している。そして、一対の爪部材３１ａは、壁部２３ｄに対する開口部２３ｆの貫通方向で開口部２３ｆと対向する位置に、開口部２３ｆの縁部２３ｈから延出した。したがって、作業者は開口部２３ｆを介して一対の爪部材３１ａを容易に目視することができるので、配線Ｈ１の配線作業をより容易に行うことができる。
【００４１】
また、本実施の形態では、開口部２３ｆの第２の領域２３ｍが配線Ｈ２を露出したので、この配線Ｈ２の配線作業も容易に行うことができる。
【００４２】
＜第２の実施の形態＞
次に、図９及び図１０を参照して、本発明の第２の実施の形態にかかる電子機器について説明する。
【００４３】
図９及び図１０に示すように、本実施の形態は、配線保持部３１の一対の爪部材３１ａが第１の実施の形態に対して異なる。本実施の形態の一対の爪部材３１ａは、壁部２３ｄに対する開口部２３ｆの貫通方向に沿って開口部２３ｆの縁部２３ｈに立設された。このような構成によれば、例えばユーザなどが爪部材３１ａに触れることを抑制することができる。
【００４４】
また、上記各実施の形態に開示した技術的思想は、適宜に組み合わせて実施することが可能である。
【符号の説明】
【００４５】
１…電子機器
２…第１の本体部
３…第２の本体部
４…ヒンジ機構（連結部）
１１…筐体
１２…第１の部品
１２Ａ…メモリ（第１の部品、部品、収納部品）
１２Ｂ…無線モジュール（第１の部品、部品、収納部品）
１５…ファン装置（第２の部品、部品）
１５ｂ…ファンケース
２３ｅ…覆部
２３ｋ…第１の領域
２３ｍ…第２の領域
２３ｆ…開口部
２３ｄ…壁部
２３ｈ…縁部
２３ｉ…係止部
２３ｑ…対向縁部
２３ｎ…突出部
２６…蓋
３１…配線保持部
３１ａ…爪部材
３３…第１のボス
３４…第２のボス
Ｈ１，Ｈ２…配線
【図１】
2011138352.tif 000003
【図２】
2011138352.tif 000004
【図３】
2011138352.tif 000005
【図４】
2011138352.tif 000006
【図５】
2011138352.tif 000007
【図６】
2011138352.tif 000008
【図７】
2011138352.tif 000009
【図８】
2011138352.tif 000010
【図９】
2011138352.tif 000011
【図１０】
2011138352.tif 000012
【手続補正書】
【提出日】平成23年1月7日(2011.1.7)
【手続補正１】
【補正対象書類名】特許請求の範囲
【補正対象項目名】請求項１
【補正方法】変更
【補正の内容】
【請求項１】
第１の部品と、この第１の部品の近傍に位置した第２の部品とを含む複数の部品が収容された筐体と、
前記筐体の内部で前記第２の部品の周辺に設けられ、前記複数の部品のいずれかに接続された配線と、
前記第２の部品の周辺で前記筐体に設けられ、前記配線を保持した配線保持部と、
前記第２の部品を覆う覆部と、前記第１の部品が露出された第１の領域及び前記覆部の周辺に位置されて前記第１の領域に連続して前記配線保持部の周辺が露出された第２の領域を含む開口部と、が設けられた壁部と、
を備えることを特徴とする電子機器。
【手続補正２】
【補正対象書類名】特許請求の範囲
【補正対象項目名】請求項１３
【補正方法】変更
【補正の内容】
【請求項１３】
開口部が設けられた壁部を有した筐体と、
前記筐体に収容され、前記開口部から露出された第１の部品と、
前記筐体に収容され、前記第１の部品の近傍に位置された第２の部品と、
前記筐体の内部で前記第２の部品の周辺に沿って設けられた配線と、
前記第２の部品の周辺で前記筐体に設けられ、前記配線を保持した配線保持部と、
を備え、
前記壁部は、前記第２の部品を覆う覆部を有し、
前記壁部の開口部は、前記第１の部品の外縁寸法よりも大きな寸法を有し前記第１の部品が露出された矩形形状の第１の領域と、前記覆部の周辺に位置されて前記第１の領域から前記第２の部品の外縁に沿って延び前記配線保持部の周辺が露出された第２の領域とを有し、
前記配線は、前記第２の部品の外縁に沿って配線されて前記第２の領域から露出した部分を有することを特徴とする電子機器。
【手続補正３】
【補正対象書類名】特許請求の範囲
【補正対象項目名】請求項１４
【補正方法】変更
【補正の内容】
【請求項１４】
収容部品と、
前記収納部品の近傍に位置したファンケースと、
前記収容部品と前記ファンケースとが収容された筐体と、
前記筐体の底壁の一部であって、前記収容部品が露出されるとともに前記ファンケースの外縁部に沿った形状の縁部を有する開口部が設けられた壁部と、
前記筐体の内部で前記ファンケースの前記外縁部に沿って配線され、前記開口部から一部が露出された配線と、
前記ファンケースの周辺で前記筐体に設けられ、前記配線を保持した配線保持部と、
を備え、
前記壁部は、前記ファンケースを覆う覆部を有し、
前記壁部の開口部は、前記収納部品が露出された第１の領域及び前記覆部の周辺に位置されて前記第１の領域に連続して前記配線保持部の周辺が露出された第２の領域を有することを特徴とする電子機器。
【手続補正４】
【補正対象書類名】明細書
【補正対象項目名】０００８
【補正方法】変更
【補正の内容】
【０００８】
上述した課題を解決し、目的を達成するために、本発明の電子機器は、第１の部品と、この第１の部品の近傍に位置した第２の部品とを含む複数の部品が収容された筐体と、前記筐体の内部で前記第２の部品の周辺に設けられ、前記複数の部品のいずれかに接続された配線と、前記第２の部品の周辺で前記筐体に設けられ、前記配線を保持した配線保持部と、前記第２の部品を覆う覆部と、前記第１の部品が露出された第１の領域及び前記覆部の周辺に位置されて前記第１の領域に連続して前記配線保持部の周辺が露出された第２の領域を含む開口部と、が設けられた壁部と、を備えることを特徴とする。
【手続補正５】
【補正対象書類名】明細書
【補正対象項目名】０００９
【補正方法】変更
【補正の内容】
【０００９】
また、本発明の電子機器は、開口部が設けられた壁部を有した筐体と、前記筐体に収容され、前記開口部から露出された第１の部品と、前記筐体に収容され、前記第１の部品の近傍に位置された第２の部品と、前記筐体の内部で前記第２の部品の周辺に沿って設けられた配線と、前記第２の部品の周辺で前記筐体に設けられ、前記配線を保持した配線保持部と、を備え、前記壁部は、前記第２の部品を覆う覆部を有し、前記壁部の開口部は、前記第１の部品の外縁寸法よりも大きな寸法を有し前記第１の部品が露出された矩形形状の第１の領域と、前記覆部の周辺に位置されて前記第１の領域から前記第２の部品の外縁に沿って延び前記配線保持部の周辺が露出された第２の領域とを有し、前記配線は、前記第２の部品の外縁に沿って配線されて前記第２の領域から露出した部分を有することを特徴とする。
【手続補正６】
【補正対象書類名】明細書
【補正対象項目名】００１０
【補正方法】変更
【補正の内容】
【００１０】
また、本発明の電子機器は、収容部品と、前記収納部品の近傍に位置したファンケースと、前記収容部品と前記ファンケースとが収容された筐体と、前記筐体の底壁の一部であって、前記収容部品が露出されるとともに前記ファンケースの外縁部に沿った形状の縁部を有する開口部が設けられた壁部と、前記筐体の内部で前記ファンケースの前記外縁部に沿って配線され、前記開口部から一部が露出された配線と、前記ファンケースの周辺で前記筐体に設けられ、前記配線を保持した配線保持部と、を備え、前記壁部は、前記ファンケースを覆う覆部を有し、前記壁部の開口部は、前記収納部品が露出された第１の領域及び前記覆部の周辺に位置されて前記第１の領域に連続して前記配線保持部の周辺が露出された第２の領域を有することを特徴とする。